(57)【特許請求の範囲】
【請求項１】
浴室の床面を構成する防水パンに固定した受け材を介して建具を支持する浴室建具の支持構造であって、
前記受け材は、前記建具を支持する支持片部と、この支持片部に連続しかつ前記防水パンの上面に止水材を介して密接される止水片部と、前記支持片部および止水片部よりも下方に延びる固定片部とを有して形成されるとともに、この受け材には、前記防水パンに対して所定高さ位置から当該受け材を下降させる下降手段が設けられ、
前記下降手段によって前記受け材を下降させて前記止水片部を前記防水パンの上面に押圧した状態において、前記固定片部が前記防水パンの側面部に固定される浴室建具の支持構造。
【請求項２】
前記受け材は、前記支持片部、止水片部および固定片部が形成された主受け材と、この主受け材とは別体で形成されて前記防水パンの側面部に固定される副受け材とを有して構成され、
前記主受け材には、前記副受け材に向かって進退自在に支持される進退部材が設けられ、
前記副受け材には、前記防水パンの側面部に当該副受け材を固定するための固着手段と、前記進退部材の進退方向に対して傾斜しかつ当該進退部材が当接可能な傾斜当接面と、前記主受け材を上下に案内する案内部とが設けられ、
前記下降手段は、前記副受け材の傾斜当接面および案内部と前記進退部材とで構成され、前記傾斜当接面に当接させた前記進退部材を前記副受け材に向かって進出移動操作することで、前記傾斜当接面に沿って当該進退部材が前記防水パン側の下方に移動されるとともに、前記案内部に案内されて前記主受け材が下降移動される請求項１に記載の浴室建具の支持構造。
【請求項３】
前記主受け材には、前記副受け材を挟んで前記防水パンの反対側に位置して下方に延びる延出片部が設けられ、
前記副受け材の固着手段は、当該副受け材を略水平に貫通して前記防水パンの側面部と螺合する第１螺合部材であり、前記主受け材の延出片部には、前記第１螺合部材を螺合操作するための挿通孔が形成され、
前記進退部材は、前記延出片部を貫通して当該延出片部と螺合する第２螺合部材であって、当該延出片部における前記副受け材と反対側の外方からの回転操作により進退移動可能に構成されている請求項２に記載の浴室建具の支持構造。
【請求項４】
前記受け材は、前記支持片部、止水片部および固定片部が形成された主受け材と、この主受け材とは別体で形成されて前記防水パンの側面部に固定される副受け材とを有して構成され、
前記主受け材には、回動自在に支持された回動部材が設けられ、
前記副受け材には、前記防水パンの側面部に当該副受け材を固定するための固着手段と、前記主受け材の前記回動部材の上方位置に突出するとともに前記回動部材が当接可能な突出当接面と、前記主受け材を上下に案内する案内部とが設けられ、
前記下降手段は、前記副受け材の突出当接面および案内部と前記回動部材とで構成され、前記回動部材の回動操作により前記副受け材の突出当接面を当該回動部材で上方に押圧することで、前記案内部に案内されて前記主受け材が下降移動される請求項１に記載の浴室建具の支持構造。
【請求項５】
前記主受け材には、前記副受け材を挟んで前記防水パンの反対側に位置して下方に延びる延出片部が設けられ、
前記副受け材の固着手段は、当該副受け材を略水平に貫通して前記防水パンの側面部と螺合する螺合部材であり、前記主受け材の延出片部には、前記螺合部材を螺合操作するための挿通孔が形成され、
前記回動部材は、前記延出片部に支持されるとともに、当該延出片部における前記副受け材と反対側の外方からの操作により回動可能に構成されている請求項４に記載の浴室建具の支持構造。
【請求項６】
前記受け材は、前記防水パンの側面部に向かって上り勾配を有した傾斜摺接面部と、この傾斜摺接面部に摺接可能かつ前記防水パンの側面部に固定される固定部材と、前記防水パンの側面部と螺合して前記固定部材を固定する固着具とを有して構成され、
前記下降手段は、前記傾斜摺接面部、固定部材および固着具で構成され、前記傾斜摺接面部に前記固定部材を当接させるとともに、前記固着具を螺合操作して前記固定部材を前記防水パンの側面部に向かって移動させることで、前記固定部材に摺接された前記傾斜摺接面部が下方に押圧されて前記受け材が下降移動される請求項１に記載の浴室建具の支持構造。
【請求項７】
前記固着具は、前記固定部材を略水平に貫通して前記防水パンの側面部と螺合する螺合部材であり、前記受け材における前記防水パンと反対側の外方から螺合操作可能に構成されている請求項６に記載の浴室建具の支持構造。
【請求項８】
前記受け材の前記固定片部は、前記防水パンの側面部と螺合する第３螺合部材で固定され、この第３螺合部材は、当該受け材における前記防水パンと反対側の外方から螺合操作可能に構成されている請求項１から請求項７のいずれかに記載の浴室建具の支持構造。
【請求項９】
請求項１から請求項８のいずれかに記載の浴室建具の支持構造により支持された浴室出入り口用建具。
【発明の詳細な説明】
【技術分野】
【０００１】
本発明は、浴室建具の支持構造および浴室出入り口用建具に関し、詳しくは、浴室の床面を構成する防水パンに固定した受け材を介して建具を支持する浴室建具の支持構造、およびこの支持構造で支持された浴室出入り口用建具に関する。
【背景技術】
【０００２】
従来、防水パンを有したユニットバス等の浴室に設ける出入り口用の浴室建具において、防水パンの側面部（正面リブ、補強リブ）に受け材（支持枠、支持部材）を固定しておき、この受け材によって建具枠の下枠を支持する支持構造が一般的に利用されている（例えば、特許文献１および特許文献２参照）。
このような支持構造では、特許文献１に記載されたように、防水パン周囲の立上部のうち、浴室建具が設けられる部分の立上部を切り欠いておき、切り欠いた立上部下方の防水パンの側面部に受け材がビス止め固定されるようになっている。
【０００３】
そして、特許文献１に記載された支持構造では、受け材と防水パンとの間や受け材と下枠との間、防水パンと下枠との間に、それぞれ止水部材（シール部材）が介挿されるように受け材の上側に下枠を載置して建具枠を建て込み、固定することで、折れ戸等の建具が受け材を介して防水パンに支持されるようになっている。
一方、特許文献２に記載された支持構造は、防水パンの側面部にビス止め固定した受け材の上側、および防水パンの上面に、止水部材を介して下枠を載置するとともに、この下枠を上面から貫通するビスを受け材に螺合して下枠を受け材に固定する構成となっている。そして、下枠の上面にカバー部材を着脱自在に取り付け、このカバー部材で下枠を貫通したビスの頭部を覆うとともに、カバー部材に傾斜面を設けることで、脱衣室側の床面と浴室床面（防水パン上面）との段差を緩やかにするように構成されている。
【０００４】
【特許文献１】特開２００３−２２１９７３号公報
【特許文献２】特許第３３６４４６５号公報
【発明の開示】
【発明が解決しようとする課題】
【０００５】
しかしながら、特許文献２に記載されたような従来の支持構造では、下枠をビスが貫通するため、このビス部分からの漏水の可能性があるとともに、ビスの頭部を覆うカバー部材が必要になってしまうことから、防水パン上面との段差が大きくなってしまい、カバー部材に傾斜面を設けたとしても、出入りの際の利便性が十分に向上できないという問題がある。さらに、防水パンの上面位置に対する受け材の上下位置が止水性を確保する上で重要になるが、従来の支持構造では、受け材を防水パンの側面部に固定する際の上下の位置決め精度が十分確保できず、止水性の点で問題である。すなわち、特許文献２に記載された支持構造では、防水パンの上面および受け材に止水部材を介して下枠を載置する構成であるが、受け材が上方にずれて固定された場合には、防水パンの上面と下枠との間隔が大きくなって止水部材が十分に密着しなくなってしまい、下枠の下側に水が浸入しやすくなる。
【０００６】
本発明の目的は、利便性を向上させかつ十分な止水性を確保することができる浴室建具の支持構造および浴室出入り口用建具を提供することにある。
【課題を解決するための手段】
【０００７】
本発明の浴室建具の支持構造は、浴室の床面を構成する防水パンに固定した受け材を介して建具を支持する浴室建具の支持構造であって、前記受け材は、前記建具を支持する支持片部と、この支持片部に連続しかつ前記防水パンの上面に止水材を介して密接される止水片部と、前記支持片部および止水片部よりも下方に延びる固定片部とを有して形成されるとともに、この受け材には、前記防水パンに対して所定高さ位置から当該受け材を下降させる下降手段が設けられ、前記下降手段によって前記受け材を下降させて前記止水片部を前記防水パンの上面に押圧した状態において、前記固定片部が前記防水パンの側面部に固定されることを特徴とする。
【０００８】
ここで、浴室建具としては、片引き戸や、折れ戸、二枚あるいは三枚建ての引き戸（連動引き戸）、開き戸など任意の開閉形式のものが採用可能である。また、受け材としては、浴室建具の下枠と別体で構成され、この下枠を支持片部で支持する構成でもよく、また、受け材が下枠と一体に構成され、戸（障子）を支持または案内するレール等が受け材の支持片部に形成された構成でもよい。
以上の本発明によれば、受け材に下降手段を設け、この下降手段によって受け材を下降させて止水片部を防水パンの上面に押圧した状態において、受け材の固定片部を防水パンの側面部に固定することで、受け材の止水片部と防水パンの上面とをそれぞれ止水材に密着させることができ、受け材と防水パンの間からの漏水を防止して止水性を確保することができる。そして、受け材と防水パンとの間からの漏水が防止されるとともに、受け材の支持片部と止水片部とが連続形成されているので、防水パンの下方や脱衣室の床材下方への水の浸入が確実に防止でき、止水性能を格段に向上させることができる。
【０００９】
また、下降手段による受け材の下降距離を適宜設定しておくことで、下降開始時においては受け材の上下位置を厳密に調節しなくても、適宜な位置から受け材の下降を開始させ、下降途中において止水片部が防水パンの上面に押圧されたことを確認してから、固定片部を防水パンの側面部に固定すればよく、受け材を所定の上下位置に固定して止水性を確保することができるとともに、位置決めに要する手間を省略して受け材の固定作業の効率化および迅速化を図ることができる。
さらに、受け材の固定片部を防水パンの側面部に固定することで、受け材を上方から貫通して固定するビスが不要になり、ビスによって止水性が低下することがない。また、ビスの頭部を覆うカバー部材等も不要になって、防水パン上面から上方へ突出する段差を最小限（例えば、止水片部と止水材との厚さ寸法を合わせた程度の寸法）にすることができ、出入りの際の利便性を格段に向上させることができる。
【００１０】
この際、本発明の浴室建具の支持構造では、前記受け材は、前記支持片部、止水片部および固定片部が形成された主受け材と、この主受け材とは別体で形成されて前記防水パンの側面部に固定される副受け材とを有して構成され、前記主受け材には、前記副受け材に向かって進退自在に支持される進退部材が設けられ、前記副受け材には、前記防水パンの側面部に当該副受け材を固定するための固着手段と、前記進退部材の進退方向に対して傾斜しかつ当該進退部材が当接可能な傾斜当接面と、前記主受け材を上下に案内する案内部とが設けられ、前記下降手段は、前記副受け材の傾斜当接面および案内部と前記進退部材とで構成され、前記傾斜当接面に当接させた前記進退部材を前記副受け材に向かって進出移動操作することで、前記傾斜当接面に沿って当該進退部材が前記防水パン側の下方に移動されるとともに、前記案内部に案内されて前記主受け材が下降移動されることが好ましい。
【００１１】
このような構成によれば、主受け材と副受け材とを有して受け材が構成され、主受け材で支持した進退部材を副受け材の傾斜当接面に当接させるとともに、この進退部材の進出移動操作によって主受け材が下降移動されるので、副受け材を防水パンの側面部における適宜な上下位置に固定してから、進退部材を進出移動させるだけの簡単な操作によって主受け材を所定の高さ位置まで下降させて固定することができ、受け材の固定作業をさらに効率よく実行することができる。また、下降移動の際に主受け材が副受け材の案内部に案内されるので、下降途中に主受け材が傾いたり副受け材から外れたりすることなく、適正な姿勢のまま下降させることができ、止水片部を防水パンの上面に確実に押圧して止水性を確保することができる。
【００１２】
さらに、本発明の浴室建具の支持構造では、前記主受け材には、前記副受け材を挟んで前記防水パンの反対側に位置して下方に延びる延出片部が設けられ、前記副受け材の固着手段は、当該副受け材を略水平に貫通して前記防水パンの側面部と螺合する第１螺合部材であり、前記主受け材の延出片部には、前記第１螺合部材を螺合操作するための挿通孔が形成され、前記進退部材は、前記延出片部を貫通して当該延出片部と螺合する第２螺合部材であって、当該延出片部における前記副受け材と反対側の外方からの回転操作により進退移動可能に構成されていることが好ましい。
【００１３】
このような構成によれば、副受け材を略水平に貫通して第１螺合部材を設け、この第１螺合部材を螺合操作するための挿通孔を主受け材の延出片部に設けたことで、防水パンと反対側の外方からドライバ等の工具を挿通孔に挿入し、この工具で第１螺合部材を螺合操作することができ、副受け材の固定作業を容易に実施することができる。また、延出片部と螺合する第２螺合部材で進退部材を構成し、防水パンや副受け材と反対側の外方からドライバ等の工具を用いて第２螺合部材を回転操作可能に構成したことで、第２螺合部材を副受け材に向かって進出移動させる進出移動操作を容易に実施することができる。従って、受け材や防水パンの下側に作業者が手や工具を入れて固定作業を実施しなくてもよく、受け材の側方からの作業により副受け材の固定作業や第２螺合部材（進退部材）の進出移動操作が実施でき、受け材の固定作業の効率化を一層促進させることができる。
【００１４】
また、本発明の浴室建具の支持構造では、前記受け材は、前記支持片部、止水片部および固定片部が形成された主受け材と、この主受け材とは別体で形成されて前記防水パンの側面部に固定される副受け材とを有して構成され、前記主受け材には、回動自在に支持された回動部材が設けられ、前記副受け材には、前記防水パンの側面部に当該副受け材を固定するための固着手段と、前記主受け材の前記回動部材の上方位置に突出するとともに前記回動部材が当接可能な突出当接面と、前記主受け材を上下に案内する案内部とが設けられ、前記下降手段は、前記副受け材の突出当接面および案内部と前記回動部材とで構成され、前記回動部材の回動操作により前記副受け材の突出当接面を当該回動部材で上方に押圧することで、前記案内部に案内されて前記主受け材が下降移動されるように構成されてもよい。
【００１５】
このような構成によれば、主受け材と副受け材とを有して受け材が構成され、主受け材で支持した回動部材を回動操作して副受け材の突出当接面に当接させ、突出当接面を上方に押圧することによって主受け材が下降移動されるので、副受け材を防水パンの側面部における適宜な上下位置に固定してから、回動部材を回動させるだけの簡単な操作によって主受け材を所定の高さ位置まで下降させて固定することができ、受け材の固定作業をさらに効率よく実行することができる。また、下降移動の際に主受け材が副受け材の案内部に案内されるので、下降途中に主受け材が傾いたり副受け材から外れたりすることなく、適正な姿勢のまま下降させることができ、止水片部を防水パンの上面に確実に押圧して止水性を確保することができる。
【００１６】
さらに、本発明の浴室建具の支持構造では、前記主受け材には、前記副受け材を挟んで前記防水パンの反対側に位置して下方に延びる延出片部が設けられ、前記副受け材の固着手段は、当該副受け材を略水平に貫通して前記防水パンの側面部と螺合する螺合部材であり、前記主受け材の延出片部には、前記螺合部材を螺合操作するための挿通孔が形成され、前記回動部材は、前記延出片部に支持されるとともに、当該延出片部における前記副受け材と反対側の外方からの操作により回動可能に構成されていることが好ましい。
【００１７】
このような構成によれば、副受け材を略水平に貫通して螺合部材を設け、この螺合部材を螺合操作するための挿通孔を主受け材の延出片部に設けたことで、防水パンと反対側の外方からドライバ等の工具を挿通孔に挿入し、この工具で螺合部材を螺合操作することができ、副受け材の固定作業を容易に実施することができる。また、防水パンや副受け材と反対側の外方から回動部材を回動操作可能に構成したことで、この回動操作を容易に実施することができる。従って、受け材や防水パンの下側に作業者が手や工具を入れて固定作業を実施しなくてもよく、受け材の側方からの作業により副受け材の固定作業や回動部材の回動操作が実施でき、受け材の固定作業の効率化を一層促進させることができる。
【００１８】
また、本発明の浴室建具の支持構造では、前記受け材は、前記防水パンの側面部に向かって上り勾配を有した傾斜摺接面部と、この傾斜摺接面部に摺接可能かつ前記防水パンの側面部に固定される固定部材と、前記防水パンの側面部と螺合して前記固定部材を固定する固着具とを有して構成され、前記下降手段は、前記傾斜摺接面部、固定部材および固着具で構成され、前記傾斜摺接面部に前記固定部材を当接させるとともに、前記固着具を螺合操作して前記固定部材を前記防水パンの側面部に向かって移動させることで、前記固定部材に摺接された前記傾斜摺接面部が下方に押圧されて前記受け材が下降移動されるように構成されてもよい。
【００１９】
このような構成によれば、固着具の螺合操作により固定部材を防水パンの側面部に向かって移動させ、固定部材が摺接する傾斜面部を下方に押圧することによって受け材が下降移動されるので、受け材を適宜な上下位置にセットしてから、固着具を防水パンの側面部に螺合するだけの簡単な操作によって受け材を所定の高さ位置まで下降させて固定することができ、受け材の固定作業をさらに効率よく実行することができる。また、下降移動の際に固定部材を傾斜摺接面部に摺接させる、つまり傾斜摺接面部で押圧力を受けることで、下降途中に受け材が傾くことなく、適正な姿勢のまま下降させることができ、止水片部を防水パンの上面に確実に押圧して止水性を確保することができる。
【００２０】
さらに、本発明の浴室建具の支持構造では、前記固着具は、前記固定部材を略水平に貫通して前記防水パンの側面部と螺合する螺合部材であり、前記受け材における前記防水パンと反対側の外方から螺合操作可能に構成されていることが好ましい。
このような構成によれば、固定部材を略水平に貫通して螺合部材を設け、この螺合部材を防水パンと反対側の外方から螺合操作可能に構成したことで、この螺合操作を容易に実施することができる。従って、受け材や防水パンの下側に作業者が手や工具を入れて固定作業を実施しなくてもよく、受け材の側方からの作業により螺合部材の螺合操作が実施でき、受け材の固定作業の効率化を一層促進させることができる。
【００２１】
以上において、本発明の浴室建具の支持構造では、前記受け材の前記固定片部は、前記防水パンの側面部と螺合する第３螺合部材で固定され、この第３螺合部材は、当該受け材における前記防水パンと反対側の外方から螺合操作可能に構成されていることが好ましい。
このような構成によれば、受け材の固定片部を略水平に貫通して第３螺合部材を設け、この第３螺合部材を防水パンと反対側の外方から螺合操作可能に構成したことで、受け材の下降移動後における固定片部の固定作業である第３螺合部材の螺合操作を、受け材の側方から容易に実施することができ、受け材の固定作業をさらに一層効率よく実行することができる。
【００２２】
一方、本発明の浴室出入り口用建具は、前記いずれかに記載の浴室建具の支持構造により支持されたことを特徴とする。
このような本発明によれば、前述の支持構造の場合と同様の効果、すなわち下降手段により受け材を所定の上下位置に固定でき、受け材の止水片部と防水パンの上面とを止水材に密着させて止水性を確保することができるとともに、受け材の位置決めに要する手間を省略して固定作業の効率化を図ることができる。さらに、受け材を上方から貫通するビスや、このビスの頭部を覆うカバー部材等が不要なので、止水性を向上させることができるとともに、防水パン上面から上方への段差を最小限にして出入りの際の利便性を格段に向上させることができる。
【発明を実施するための最良の形態】
【００２３】
以下、本発明の実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングを一部省略する場合がある。
【００２４】
〔第１実施形態〕
図１は、本発明の実施形態に係る浴室出入り口用建具である折れ戸１を示す縦断面図である。図２は、第１実施形態に係る折れ戸１の支持構造における受け材１０の取付手順を示す縦断面図である。図３は、取り付けられた受け材１０を示す縦断面図である。
図１において、折れ戸１は、ユニットバスからなる浴室への出入り口として脱衣室との間に設けられるものであって、枠体としての建具枠２と、この建具枠２に開閉自在に支持された折れ戸障子３とを有して構成されている。建具枠２は、上枠４、下枠５、および左右の縦枠６を四周枠組みして構成されており、上枠４が建物内壁の額縁７に固定され、下枠５が後述する受け材１０に支持されるとともに脱衣室の床材８に固定され、縦枠６が建物内壁やユニットバスの壁に固定されている。そして、ユニットバスは、その床面を構成する防水パン９を有し、この防水パン９の上面９Ａと脱衣室の床材８上面とは、下枠５および受け材１０を介して略フラットに（防水パン９の上面９Ａが脱衣室の床材８上面よりも若干低く）なるように構成されている。
【００２５】
防水パン９は、ＦＲＰ（Fiber-Reinforced Plastics 、繊維強化プラスチック）製の一体成形品であり、図２にも示すように、上面９Ａから下方に延びて建物躯体に支持される側面部としての垂下リブ９Ｂと、上面９Ａの外周縁から段付き状に上方に延びてユニットバスの壁材を支持する立上り部９Ｃとを有して形成されている。そして、防水パン９の立上り部９Ｃは、図２に仮想線（二点鎖線）で示すように、折れ戸１を設置する部分が垂下リブ９Ｂ外面位置で切り欠かれており、この立上り部９Ｃを切り欠いた部分に受け材１０を固定するとともに、受け材１０に下枠５を載置することで、折れ戸１が設置されるようになっている。また、図１に示すように、受け材１０の両端部には、端部キャップ１１が取り付けられており、これらの端部キャップ１１によって受け材１０と立上り部９Ｃの切り欠き端縁との間を塞ぐことで、ユニットバス内部の水が受け材１０の両端部から下方に漏れ出さないようになっている。
【００２６】
受け材１０は、図２、図３に示すように、アルミ形材製で下枠５と略同一の長さ寸法を有するか下枠５よりも若干長く形成された主受け材１２と、この主受け材１２とは別体の金属製ピース材であり主受け材１２の長手方向に沿って適宜な間隔で複数箇所（２〜４箇所）に設けられる副受け材１３と、この副受け材１３を防水パン９の垂下リブ９Ｂに固着するための固着手段である第１螺合部材（ビス）１４と、副受け材１３に向かって進退自在に主受け材１２に支持された進退部材である第２螺合部材（ビス）１５と、主受け材１２を垂下リブ９Ｂに固定するための第３螺合部材（ビス）１６とを有して構成されている。
【００２７】
主受け材１２は、下枠５を支持する支持片部１２１と、この支持片部１２１よりも浴室側に設けられた中空部（ホロー部）１２２と、中空部１２２から浴室側に突出した止水片部１２３と、中空部１２２から下方に延びる延出片部１２４と、この延出片部１２４の下端から浴室側に折れ曲がった底面部１２５と、底面部１２５に連続して防水パン９の垂下リブ９Ｂに沿って延びる固定片部１２６とを有し、これらの各部が一体に形成されている。また、主受け材１２には、中空部１２２の浴室下側に形成された凹溝部１２７と、止水片部１２３の下面に取り付けられて防水パン９の上面９Ａに密着可能な止水材であるパッキン１２８と、中空部１２２の脱衣室上側に取り付けられて下枠５に当接可能な止水部材１２９とが設けられている。
【００２８】
副受け材１３は、防水パン９の垂下リブ９Ｂに固定される固定片部１３１と、この固定片部１３１の下端から脱衣室側に折れ曲がった底面部１３２と、固定片部１３１の上端側に設けられた略三角柱状の当接部１３３と、この当接部１３３から上方に突出して設けられた案内部である突出片部１３４とを有し、これらの各部が一体に形成されている。また、副受け材１３の当接部１３３の脱衣室側には、防水パン９の垂下リブ９Ｂに向かって下がり勾配を有しかつ第２螺合部材１５の先端が当接可能な傾斜当接面１３５が形成されている。このような副受け材１３は、突出片部１３４を主受け材１２の凹溝部１２７に挿入した状態において、底面部１３２が主受け材１２の底面部１２５上面に当接することで、主受け材１２から外れないようになっており、主受け材１２の左右両端部から挿入することで副受け材１３がセットされるようになっている。
【００２９】
また、副受け材１３は、固定片部１３１を略水平に貫通して防水パン９の垂下リブ９Ｂと螺合する第１螺合部材１４によって垂下リブ９Ｂに固定されるようになっており、主受け材１２の延出片部１２４には、第１螺合部材１４を螺合操作するための挿通孔１２４Ａ（図２参照）が設けられている。従って、第１螺合部材１４は、挿通孔１２４Ａを介して主受け材１２の外方（図２、３中、右側）から、螺合操作することによって垂下リブ９Ｂと螺合可能に構成されている。一方、第２螺合部材１５は、主受け材１２の延出片部１２４を略水平に貫通し、当該延出片部１２４と螺合して支持されるとともに、延出片部１２４における副受け材１３と反対側（図２、３中、右側）である主受け材１２外方から、回転操作することによって進退移動可能に構成されている。また、第３螺合部材１６は、図３に示すように、主受け材１２の固定片部１２６を略水平に貫通して防水パン９の垂下リブ９Ｂと螺合するものであり、防水パン９と反対側（図中、右側）の主受け材１２外方から、螺合操作することによって垂下リブ９Ｂと螺合可能に構成されている。
【００３０】
以上のような受け材１０の防水パン９への固定手順としては、先ず、主受け材１２の左右両端部から所定の個数の副受け材１３を挿入しておき、この受け材１０を図２に示すように、止水片部１２３が防水パン９の上面９Ａから適宜な高さ位置となるようにセットする。この際、止水片部１２３と防水パン９の上面９Ａとの間隔は、さほど正確でなくてもよく、後述するような主受け材１２の下降ストロークよりも小さい間隔寸法（例えば、数mm〜１０mm程度）に設定しておけばよい。さらに、主受け材１２の長手方向に沿った各位置における間隔寸法も均一である必要はなく、主受け材１２の下降ストロークの範囲内で多少ばらついていてもよい。このため、受け材１０の防水パン９へのセットに際しては、適宜なスペーサを止水片部１２３と防水パン９の上面９Ａとの間に挟んでおくなど、簡便な位置決め方法が採用可能である。
【００３１】
次に、主受け材１２の延出片部１２４の挿通孔１２４Ａからスクリュードライバ等の工具を差し入れ、第１螺合部材１４を螺合操作して垂下リブ９Ｂに螺合し、副受け材１３を防水パン９に固定する。この際、第２螺合部材１５は、副受け材１３から遠ざかった後退位置にあり、その先端が傾斜当接面１３５の上端部に当接した状態にあるとともに、副受け材１３は、その底面部１３２を主受け材１２の底面部１２５上面に当接させた位置にある。すなわち、主受け材１２は、副受け材１３に対して下降ストロークの上限位置にある状態で副受け材１３が固定されることとなる。このようにして複数箇所の副受け材１３を固定した後に、前述のスペーサを取り外せば、止水片部１２３が防水パン９の上面９Ａに当接する位置まで主受け材１２が下降する。
【００３２】
次に、第２螺合部材１５を螺合操作して副受け材１３に向かって進出移動させ、その先端を傾斜当接面１３５に当接させるとともに、さらに第２螺合部材１５を締め付けることで、その先端が傾斜当接面１３５の下端部側に移動し、主受け材１２が下降移動されることとなる。この際、主受け材１２の凹溝部１２７が副受け材１３の突出片部１３４によって上下に案内されることで、主受け材１２が傾いたりずれたりしないようになっている。このように、第２螺合部材１５の先端が傾斜当接面１３５の上端部から下端部まで移動する上下移動量と、および主受け材１２の凹溝部１２７に副受け材１３の突出片部１３４が突き当たるまでの上下移動量と、の小さい方の移動量によって主受け材１２の下降ストロークが決定されるようになっている。
【００３３】
以上のようにして主受け材１２を下降移動させることで、図３に示すように、止水片部１２３を防水パン９の上面９Ａに押圧し、止水片部１２３および防水パン９の上面９Ａとパッキン１２８とを密着させる。すなわち、本実施形態において、主受け材１２に設けた第２螺合部材１５および凹溝部１２７と、副受け材１３に設けた傾斜当接面１３５および突出片部１３４とによって下降手段が構成されている。このような下降手段によって主受け材１２を下降させてパッキン１２８を密着させた状態において、第３螺合部材１６を主受け材１２の固定片部１２６に貫通させて螺合操作し、防水パン９の垂下リブ９Ｂに主受け材１２を固定する。
以上の手順によって受け材１０の防水パン９への固定が完了し、この後に、主受け材１２の支持片部１２１に下枠５を載置し、止水部材１２９を下枠５に当接させて建具枠２を建て込むことで、折れ戸１の取付作業が実施できるようになっている。
【００３４】
このような本実施形態によれば、以下のような効果がある。
（１）すなわち、受け材１０が主受け材１２と副受け材１３とを有し、主受け材１２に設けた第２螺合部材１５および凹溝部１２７と、副受け材１３に設けた傾斜当接面１３５および突出片部１３４とによって下降手段が構成され、この下降手段によって主受け材１２を下降させて止水片部１２３を防水パン９の上面９Ａに押圧した状態において、主受け材１２の固定片部１２６を垂下リブ９Ｂに固定することで、止水片部１２３および防水パン９の上面９Ａとパッキン１２８とを密着させることができる。従って、受け材１０と防水パン９との間からの漏水を防止して止水性を確保することができ、防水パン９の下方や脱衣室の床材８下方への水の浸入が確実に防止でき、止水性能を格段に向上させることができる。
【００３５】
（２）また、主受け材１２の下降ストロークを適宜設定しておくことで、防水パン９への受け材１０のセット時においては止水片部１２３と防水パン９の上面９Ａとの間隔を厳密に調節しなくてもよく、主受け材１２の下降途中において止水片部１２３が防水パン９の上面９Ａに押圧されたことを確認してから、固定片部１２６を垂下リブ９Ｂに固定すればよく、主受け材１２を所定位置に固定して止水性を確保することができるとともに、位置決めに要する手間を省略して受け材１０の固定作業の効率化および迅速化を図ることができる。
【００３６】
（３）さらに、主受け材１２で支持した第２螺合部材１５の先端を副受け材１３の傾斜当接面１３５に当接させるとともに、この第２螺合部材１５の進出移動操作によって主受け材１２が下降移動されるので、副受け材１３を防水パン９の垂下リブ９Ｂにおける適宜な上下位置に固定してから、第２螺合部材１５を進出移動させるだけの簡単な操作によって主受け材１２を所定の高さ位置まで下降させて固定することができ、受け材１０の固定作業をさらに効率よく実行することができる。
【００３７】
（４）また、受け材１０における第１螺合部材１４、第２螺合部材１５および第３螺合部材１６が防水パン９と反対側の受け材１０外方からドライバ等の工具を用いて螺合操作可能に構成されているので、受け材１０や防水パン９の下側に作業者が手や工具を入れて固定作業を実施しなくてもよく、受け材１０の側方からの作業により副受け材１３の固定操作や第２螺合部材１５の進出移動操作、主受け材１２の固定操作が実施でき、受け材１０の固定作業の効率化を一層促進させることができる。
【００３８】
（５）また、主受け材１２の下降移動の際に凹溝部１２７が副受け材１３の突出片部１３４に案内されるので、下降途中に主受け材１２が傾いたり副受け材１３から外れたりすることなく、適正な姿勢のまま下降させることができ、止水片部１２３を防水パン９の上面９Ａに確実に押圧して止水性を確保することができる。
【００３９】
（６）また、主受け材１２および副受け材１３の固定片部１２６，１３１が防水パン９の垂下リブ９Ｂに固定されるので、受け材１０を上方から貫通して固定するビスが不要になり、ビスによって止水性が低下することがない。また、ビスの頭部を覆うカバー部材等も不要になって、防水パン９の上面９Ａから上方へ突出する段差を止水片部１２３とパッキン１２８との厚さ寸法程度に抑えることができ、出入りの際の利便性を格段に向上させることができる。
【００４０】
〔第２実施形態〕
次に、本発明の第２実施形態に係る支持構造について図４および図５に基づいて説明する。
図４(Ａ)，(Ｂ)は、第２実施形態に係る支持構造における受け材２０の取付手順を示す縦断面図および側面図である。図５(Ａ)，(Ｂ)は、取り付けられた受け材２０を示す縦断面図および側面図である。
本実施形態の支持構造は、前記第１実施形態と受け材の構成が相違し、他の構成は略同様である。以下、相違点について詳しく説明する。
【００４１】
本実施形態の受け材２０は、図４、図５に示すように、前記第１実施形態の主受け材１２と略同一断面を有したアルミ形材製の主受け材２２と、この主受け材２２とは別体の金属製ピース材である副受け材２３と、この副受け材２３を防水パン９の垂下リブ９Ｂに固着するための固着手段である螺合部材（ビス）２４と、主受け材２２に回動自在に支持された回動部材２５と、主受け材２２を垂下リブ９Ｂに固定するための第３螺合部材（ビス）２６とを有して構成されている。
【００４２】
主受け材２２は、前記主受け材１２と同様に、支持片部２２１と、中空部２２２と、止水片部２２３と、延出片部２２４と、底面部２２５と、固定片部２２６とを有し、主受け材２２には、凹溝部２２７と、止水材であるパッキン２２８と、止水部材２２９とが設けられている。
副受け材２３は、防水パン９の垂下リブ９Ｂに固定される固定片部２３１と、この固定片部２３１の下端から脱衣室側に折れ曲がった底面部２３２と、固定片部２３１の上端側から主受け材２２の延出片部２２４に向かって突出して回動部材２５の上方に位置する突出当接片部（突出当接面）２３３と、この突出当接片部２３３から上方に突出して設けられた案内部である突出片部２３４とを有して形成されている。このような副受け材２３は、突出片部２３４を主受け材２２の凹溝部２２７に挿入した状態において、底面部２３２が主受け材２２の底面部２２５上面に当接することで、主受け材２２から外れないようになっており、主受け材２２の左右両端部から挿入することで副受け材２３がセットされるようになっている。
【００４３】
また、副受け材２３は、固定片部２３１を略水平に貫通して防水パン９の垂下リブ９Ｂと螺合する螺合部材２４によって垂下リブ９Ｂに固定されるようになっており、主受け材２２の延出片部２２４には、螺合部材２４を螺合操作するための挿通孔２２４Ａ（図４参照）が設けられている。従って、螺合部材２４は、挿通孔２２４Ａを介して主受け材２２の外方（図４、５中、右側）から、螺合操作することによって垂下リブ９Ｂと螺合可能に構成されている。また、第３螺合部材２６は、図５に示すように、主受け材２２の固定片部２２６を略水平に貫通して防水パン９の垂下リブ９Ｂと螺合するものであり、防水パン９と反対側（図中、右側）の主受け材２２外方から、螺合操作することによって垂下リブ９Ｂと螺合可能に構成されている。
【００４４】
一方、回動部材２５は、主受け材２２の延出片部２２４を略水平に貫通し主受け材２２の外方から回転操作可能な軸部２５１と、この軸部２５１に固着されて副受け材２３の突出当接片部２３３の下面に当接可能なアーム部２５２とを有して構成され、軸部２５１を回転操作することによってアーム部２５２が回動し、突出当接片部２３３を上方に押圧できるようになっている。なお、アーム部２５２の構成としては、図４、図５に示したような断面コ字形の金物に限らず、軸部２５１に偏心して固着された円柱状や楕円柱状の部材でもよく、またラチェット状に副受け材２３の突出当接片部２３３と係合するような部材であってもよい。このような回動部材２５によって副受け材２３の突出当接片部２３３を上方に押圧することで、主受け材２２が下降移動されるようになっており、すなわち、本実施形態において、主受け材２２に設けた回動部材２５および凹溝部２２７と、副受け材２３の突出当接片部２３３および突出片部２３４とによって下降手段が構成されている。
【００４５】
以上のような受け材２０の防水パン９への固定手順としては、前記第１実施形態と略同様に受け材２０をセットした後に、主受け材２２の延出片部２２４の挿通孔２２４Ａからスクリュードライバ等の工具を差し入れ、螺合部材２４を螺合操作して垂下リブ９Ｂに螺合し、副受け材２３を防水パン９に固定する。次に、回動部材２５の軸部２５１を回転操作してアーム部２５２を回動させ、アーム部２５２の側端部を副受け材２３の突出当接片部２３３に当接させることで、主受け材２２を下降移動させる。このようにして主受け材２２を下降移動させることで、図５に示すように、止水片部２２３を防水パン９の上面９Ａに押圧し、止水片部２２３および防水パン９の上面９Ａとパッキン２２８とを密着させ、この状態において、第３螺合部材２６を主受け材２２の固定片部２２６に貫通させて螺合操作し、防水パン９の垂下リブ９Ｂに主受け材２２を固定する。
以上の手順によって受け材２０の防水パン９への固定が完了する。
【００４６】
このような本実施形態によれば、前述の（５）、（６）と同様の効果に加えて以下のような効果がある。
（７）すなわち、受け材２０が主受け材２２と副受け材２３とを有し、主受け材２２に設けた回動部材２５および凹溝部２２７と、副受け材２３に設けた突出当接片部２３３および突出片部２３４とによって下降手段が構成され、この下降手段によって主受け材２２を下降させて止水片部２２３を防水パン９の上面９Ａに押圧した状態において、主受け材２２の固定片部２２６を垂下リブ９Ｂに固定することで、止水片部２２３および防水パン９の上面９Ａとパッキン２２８とを密着させることができる。従って、受け材２０と防水パン９との間からの漏水を防止して止水性を確保することができ、防水パン９の下方や脱衣室の床材８下方への水の浸入が確実に防止でき、止水性能を格段に向上させることができる。
【００４７】
（８）また、防水パン９への受け材２０のセット時においては止水片部２２３と防水パン９の上面９Ａとの間隔を厳密に調節しなくてもよく、主受け材２２の下降途中において止水片部２２３が防水パン９の上面９Ａに押圧されたことを確認してから、固定片部２２６を垂下リブ９Ｂに固定すればよく、主受け材２２を所定位置に固定して止水性を確保することができるとともに、位置決めに要する手間を省略して受け材２０の固定作業の効率化および迅速化を図ることができる。
【００４８】
（９）さらに、主受け材２２で支持した回動部材２５の回動操作によって主受け材２２が下降移動されるので、副受け材２３を防水パン９の垂下リブ９Ｂにおける適宜な上下位置に固定してから、回動部材２５を回動させるだけの簡単な操作によって主受け材２２を所定の高さ位置まで下降させて固定することができ、受け材２０の固定作業をさらに効率よく実行することができる。
【００４９】
（10）また、受け材２０における螺合部材２４、回動部材２５および第３螺合部材２６が防水パン９と反対側の受け材２０外方からドライバ等の工具を用いて操作可能に構成されているので、受け材２０や防水パン９の下側に作業者が手や工具を入れて固定作業を実施しなくてもよく、受け材２０の側方からの作業により副受け材２３の固定操作や回動部材２５の回動操作、主受け材２２の固定操作が実施でき、受け材２０の固定作業の効率化を一層促進させることができる。
【００５０】
〔第３実施形態〕
次に、本発明の第３実施形態に係る支持構造について図６および図７に基づいて説明する。
図６は、それぞれ第３実施形態に係る支持構造における受け材３０の取付手順を示す縦断面図である。図７は、取り付けられた受け材３０を示す縦断面図である。
本実施形態の支持構造は、前記第１、第２実施形態と受け材の構成が相違し、他の構成は略同様である。以下、相違点について詳しく説明する。
【００５１】
本実施形態の受け材３０は、図６、図７に示すように、アルミ形材製の主受け材３２と、この主受け材３２とは別体の金属製ピース材である固定部材３３と、この固定部材３３を防水パン９の垂下リブ９Ｂに固着するための固着具である螺合部材（ビス）３４と、主受け材３２を垂下リブ９Ｂに固定するための２本の第３螺合部材（ビス）３５，３６とを有して構成されている。
【００５２】
主受け材３２は、前記主受け材１２，２２と略同様に、下枠５を支持する支持片部３２１と、この支持片部３２１よりも浴室側に設けられた中空部（ホロー部）３２２と、中空部３２２から浴室側に突出した止水片部３２３とを有して形成されている。さらに、主受け材３２は、中空部３２２の脱衣室側側面を構成する延出片部３２４と、中空部３２２の浴室室側側面を構成し防水パン９の垂下リブ９Ｂに沿って延びる第１固定片部３２５と、この第１固定片部３２５に連続して形成され垂下リブ９Ｂに沿って延びる第２固定片部３２６と、第１固定片部３２５の下端部に連続して形成された傾斜摺接面部３２７と、この傾斜摺接面部３２７に対向して延出片部３２４と第１固定片部３２５とを連結する傾斜案内面部３２７Ａとを有し、これらの各部が一体に形成されている。傾斜摺接面部３２７と傾斜案内面部３２７Ａとは、それぞれ防水パン９の垂下リブ９Ｂに向かって上り勾配、つまり第１固定片部３２５から離れる方向に下り勾配を有して形成されている。また、主受け材３２には、前記主受け材１２，２２と同様の止水材であるパッキン３２８と、止水部材３２９とが設けられている。
【００５３】
固定部材３３には、当該固定部材３３を略水平に貫通する挿通孔３３１と、主受け材３２の傾斜摺接面部３２７に摺接可能な下部傾斜面部３３２と、主受け材３２の傾斜案内面部３２７Ａに案内される上部傾斜面部３３３とを有して形成されている。そして、固定部材３３は、挿通孔３３１に貫通させた螺合部材３４を防水パン９の垂下リブ９Ｂに螺合することで防水パン９固定されるようになっており、主受け材３２の第１固定片部３２５に形成した挿通孔３２５Ａを介して螺合部材３４が垂下リブ９Ｂに螺合できるようになっている。このような固定部材３３は、下部傾斜面部３３２を主受け材３２の傾斜摺接面部３２７に当接させた状態で螺合部材３４を締め付けることにより、下部傾斜面部３３２が傾斜摺接面部３２７に摺接するとともに、上部傾斜面部３３３が傾斜案内面部３２７Ａに案内されるようになっている。
【００５４】
そして、螺合部材３４の締め付けにより固定部材３３が主受け材３２の第１固定片部３２５に向かって（つまり防水パン９の垂下リブ９Ｂに向かって）進出移動し、この固定部材３３の進出移動により、下部傾斜面部３３２で傾斜摺接面部３２７が下方に押圧され、主受け材３２が下降移動されるようになっている。すなわち、本実施形態において、主受け材３２に設けた傾斜摺接面部３２７と、固定部材３３の下部傾斜面部３３２および螺合部材３４とによって下降手段が構成されている。
また、図７に示すように、第３螺合部材３５は、主受け材３２の第１固定片部３２５を略水平に貫通して防水パン９の垂下リブ９Ｂと螺合するものであり、主受け材３２の延出片部３２４に形成した挿通孔３２４Ａを介して、防水パン９と反対側（図中、右側）の主受け材３２外方から、螺合操作することによって垂下リブ９Ｂと螺合可能に構成されている。
【００５５】
以上のような受け材３０の防水パン９への固定手順としては、前記第１、第２実施形態と略同様に受け材３０をセットした後に、固定部材３３を主受け材３２の傾斜摺接面部３２７と傾斜案内面部３２７Ａの間に配置し、螺合部材３４を螺合操作して垂下リブ９Ｂに螺合し、固定部材３３を進出移動させながら防水パン９に固定する。この固定部材３３の進出移動によって、下部傾斜面部３３２に傾斜摺接面部３２７が押圧された主受け材３２を下降移動させる。このようにして主受け材３２を下降移動させることで、図７に示すように、止水片部３２３を防水パン９の上面９Ａに押圧し、止水片部３２３および防水パン９の上面９Ａとパッキン３２８とを密着させ、この状態において、挿通孔３２４Ａを介して第３螺合部材３５を主受け材３２の第１固定片部３２５に貫通させて螺合操作し、第３螺合部材３６を主受け材３２の第２固定片部３２６に貫通させて螺合操作し、防水パン９の垂下リブ９Ｂに主受け材３２を固定する。
以上の手順によって受け材３０の防水パン９への固定が完了する。
【００５６】
このような本実施形態によれば、前述の（５）、（６）と同様の効果に加えて以下のような効果がある。
（11）すなわち、受け材３０が主受け材３２と固定部材３３とを有し、主受け材３２に設けた傾斜摺接面部３２７と、固定部材３３の下部傾斜面部３３２および螺合部材３４とによって下降手段が構成され、この下降手段によって主受け材３２を下降させて止水片部３２３を防水パン９の上面９Ａに押圧した状態において、主受け材３２の第１および第２固定片部３２５，３２６を垂下リブ９Ｂに固定することで、止水片部３２３および防水パン９の上面９Ａとパッキン３２８とを密着させることができる。従って、受け材２０と防水パン９との間からの漏水を防止して止水性を確保することができ、防水パン９の下方や脱衣室の床材８下方への水の浸入が確実に防止でき、止水性能を格段に向上させることができる。
【００５７】
（12）また、防水パン９への受け材３０のセット時においては止水片部３２３と防水パン９の上面９Ａとの間隔を厳密に調節しなくてもよく、主受け材３２の下降途中において止水片部３２３が防水パン９の上面９Ａに押圧されたことを確認してから、第１および第２固定片部３２５，３２６を垂下リブ９Ｂに固定すればよく、主受け材３２を所定位置に固定して止水性を確保することができるとともに、位置決めに要する手間を省略して受け材３０の固定作業の効率化および迅速化を図ることができる。
【００５８】
（13）さらに、螺合部材３４を螺合操作によって固定部材３３が進出移動し、この固定部材３３の進出移動に伴って主受け材３２が下降移動されるので、固定部材３３の固定するための螺合部材３４の螺合操作だけで主受け材３２を所定の高さ位置まで下降させて固定することができ、受け材３０の固定作業をさらに効率よく実行することができる。
【００５９】
（14）また、受け材３０における螺合部材３４および第３螺合部材３５，３６が防水パン９と反対側の受け材３０外方からドライバ等の工具を用いて操作可能に構成されているので、受け材３０や防水パン９の下側に作業者が手や工具を入れて固定作業を実施しなくてもよく、受け材３０の側方からの作業により固定部材３３が進出移動操作や主受け材３２の固定操作が実施でき、受け材３０の固定作業の効率化を一層促進させることができる。
【００６０】
なお、本発明は、前記実施形態に限定されるものではなく、本発明の目的を達成できる他の構成等を含み、以下に示すような変形等も本発明に含まれる。
例えば、前記実施形態においては、浴室出入り口用建具としての折れ戸１について説明したが、本発明の建具は折れ戸１に限られず、片引き戸や、二枚あるいは三枚建ての引き戸（連動引き戸）、開き戸など任意の開閉形式のものであってもよい。
さらに、浴室建具の支持構造としては、前記第１〜第３実施形態で説明した構造に限らず、他の適宜な下降手段を有したものが採用可能である。
【００６１】
また、前記第１実施形態では、第１〜第３螺合部材１４，１５，１６がそれぞれ略水平に配置され、前記第２実施形態では、螺合部材２４、回動部材２５の軸部２５１および第３螺合部材２６がそれぞれ略水平に配置され、前記第３実施形態では、螺合部材３４および２本の第３螺合部材３５，３６がそれぞれ略水平に配置されていたが、これに限らず、各螺合部材が所定の傾きを有して配置されていてもよい。また、各螺合部材は、ドライバで螺合（回転）操作されるビスに限らず、レンチで回転操作されるボルト等でもよい。
また、前記第１および第２実施形態では、主受け材１２，２２の左右両端部から副受け材１３，２３を挿入した状態で、これらの主受け材１２，２２および副受け材１３，２３を防水パン９に位置決めしてから、副受け材１３，２３を固定する受け材１０，２０の固定手順を採用したが、このような手順に限られない。すなわち、受け材の固定手順としては、先ず、主受け材と別体の副受け材を防水パン９の垂下リブ９Ｂにおける適宜な高さ位置に固定しておき、その後に、主受け材を副受け材にセットしてから下降手段により下降操作するような手順であってもよい。
【００６２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００６３】
【図１】本発明の実施形態に係る浴室出入り口用建具を示す縦断面図である。
【図２】本発明の第１実施形態に係る建具の支持構造における受け材の取付手順を示す縦断面図である。
【図３】取り付けられた前記受け材を示す縦断面図である。
【図４】(Ａ)，(Ｂ)は、本発明の第２実施形態に係る建具の支持構造における受け材の取付手順を示す縦断面図および側面図である。
【図５】(Ａ)，(Ｂ)は、取り付けられた前記受け材を示す縦断面図および側面図である。
【図６】本発明の第３実施形態に係る建具の支持構造における受け材の取付手順を示す縦断面図である。
【図７】取り付けられた前記受け材を示す縦断面図である。
【符号の説明】
【００６４】
１…浴室建具である折れ戸、５…下枠、９…防水パン、９Ａ…上面、９Ｂ…側面部である垂下リブ、１０，２０，３０…受け材、１２，２２，３２…主受け材、１３，２３…副受け材、１４…固着手段である第１螺合部材、１５…進退部材である第２螺合部材、１６，２６，３５，３６…第３螺合部材、２４…固着手段である螺合部材、２５…回動部材、３４…固着具である螺合部材、１２１，２２１，３２１…支持片部、１２３，２２３，３２３…止水片部、１２４，２２４…延出片部、１２４Ａ，２２４Ａ…挿通孔、１２６，２２６，３２５，３２６…固定片部、１２８，２２８，３２８…止水材であるパッキン、１３４，２３４…案内部である突出片部、１３５…傾斜当接面、２３３…突出当接片部（突出当接面）、３２７…傾斜摺接面部。
【図１】
0004516541.tif 000002
【図２】
0004516541.tif 000003
【図３】
0004516541.tif 000004
【図４】
0004516541.tif 000005
【図５】
0004516541.tif 000006
【図６】
0004516541.tif 000007
【図７】
0004516541.tif 000008